(57)【要約】【課題】番組を見ながら、指等で食材を指定し、自動的に注文できるシステムを実現する。【解決手段】テレビを内蔵するレシピ装置１０は、テレビ局システム７０から放送される料理番組を受信し、表示する。レシピ装置１０は、受信した料理番組をデジタル型式で内部に記憶し、ユーザが料理番組を聴視しながら、画面の食材の部分を指等で押下すると、その押下された部分の画像を抽出し、材料を特定し材料特定データを生成し、ユーザの氏名、ユーザコード、抽出された画像、材料特定データをネットワーク５０を介し、受け付けセンターシステム３０に送信する。受け付けセンターシステム３０は、注文確認画面をレシピ装置１０に送信し、確認を受信すると、小売店システム２０に食材の注文を送信する。小売店システム２０は、食材の注文を表示する。【選択図】　　　図１
2004054528.tif 000002
【特許請求の範囲】
【請求項１】
テレビ局システムから放送される料理番組を受信し表示するテレビを内蔵し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信するレシピ装置を有することを特徴とする食材調達システム。
【請求項２】
テレビ局システムから放送される料理番組を受信し表示するテレビを内蔵し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信するレシピ装置と、
前記レシピ装置から材料注文データを受信すると、材料注文データを含む画面を表示し、材料特定データを詳述する材料詳細データを含む注文確認画面を前記ネットワークを介し前記レシピ装置に送信し、前記レシピ装置から注文確認画面の返送を受信すると、小売店システムに食材の注文のための食材注文データを前記ネットワークを介し送信する受け付けセンターシステムとを有することを特徴とする食材調達システム。
【請求項３】
テレビ局システムから放送される料理番組を受信し表示するテレビを内蔵し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信し、記憶した料理番組を再生するレシピ装置と、
前記レシピ装置から材料注文データを受信すると、材料注文データを含む画面を表示し、材料特定データを詳述する材料詳細データを含む注文確認画面を前記ネットワークを介し前記レシピ装置に送信し、前記レシピ装置から注文確認画面の返送を受信すると、小売店システムに食材の注文のための食材注文データを前記ネットワークを介し送信する受け付けセンターシステムと、
前記受け付けセンターシステムから食材注文データを受信すると、食材注文データを含む画面を表示する小売店システムとを有することを特徴とする食材調達システム。
【請求項４】
番組のＧコードを含む番組指定用ホームページをネットワークを介し送信するテレビ局システムと、
番組指定用ホームページ内のＧコードを記憶し、前記テレビ局システムから放送される料理番組を受信し表示するテレビを内蔵し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データを前記ネットワークを介し送信し、注文確認画面を返送し、記憶したＧコードに対応する料理番組を再生するレシピ装置と、
前記レシピ装置から材料注文データを受信すると、材料注文データを含む画面を表示し、材料特定データを詳述する材料詳細データを含む注文確認画面を前記ネットワークを介し前記レシピ装置に送信し、前記レシピ装置から注文確認画面の返送を受信すると、食材の注文のための食材注文データを前記ネットワークを介し送信する受け付けセンターシステムと、
前記受け付けセンターシステムから食材注文データを受信すると、食材注文データを含む画面を表示する小売店システムとを有することを特徴とする食材調達システム。
【請求項５】
テレビ局システムから放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信する手順を含むことを特徴とする食材調達方法。
【請求項６】
テレビ局システムから放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信する第１の手順と、
前記第１の手順から材料注文データを受信すると、材料注文データを含む画面を表示し、材料特定データを詳述する材料詳細データを含む注文確認画面を前記ネットワークを介し前記第１の手順に送信し、前記第１の手順から注文確認画面の返送を受信すると、小売店システムに食材の注文のための食材注文データを前記ネットワークを介し送信する第２の手順とを含むことを特徴とする食材調達方法。
【請求項７】
テレビ局システムから放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信し、記憶した料理番組を再生する第１の手順と、前記第１の手順から材料注文データを受信すると、材料注文データを含む画面を表示し、材料特定データを詳述する材料詳細データを含む注文確認画面を前記ネットワークを介し前記第１の手順に送信し、前記第１の手順から注文確認画面の返送を受信すると、小売店システムに食材の注文のための食材注文データを前記ネットワークを介し送信する第２の手順と、
前記第２の手順から食材注文データを受信すると、食材注文データを含む画面を表示する第３の手順とを含むことを特徴とする食材調達方法。
【請求項８】
番組のＧコードを含む番組指定用ホームページをネットワークを介し送信する第１の手順と、
番組指定用ホームページ内のＧコードを記憶し、前記第１の手順から放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データを前記ネットワークを介し送信し、注文確認画面を返送し、記憶したＧコードに対応する料理番組を再生する第２の手順と、
前記第２の手順から材料注文データを受信すると、材料注文データを含む画面を表示し、材料特定データを詳述する材料詳細データを含む注文確認画面を前記ネットワークを介し前記第２の手順に送信し、前記第２の手順から注文確認画面の返送を受信すると、食材の注文のための食材注文データを前記ネットワークを介し送信する第３の手順と、
前記第３の手順から食材注文データを受信すると、食材注文データを含む画面を表示する第４の手順とを含むことを特徴とする食材調達方法。
【請求項９】
テレビ局システムから放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信する手順をコンピュータに実行させることを特徴とする食材調達プログラム。
【請求項１０】
テレビ局システムから放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信する第１の手順と、
前記第１の手順から材料注文データを受信すると、材料注文データを含む画面を表示し、材料特定データを詳述する材料詳細データを含む注文確認画面を前記ネットワークを介し前記第１の手順に送信し、前記第１の手順から注文確認画面の返送を受信すると、小売店システムに食材の注文のための食材注文データを前記ネットワークを介し送信する第２の手順とをコンピュータに実行させることを特徴とする食材調達プログラム。
【請求項１１】
テレビ局システムから放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信し、記憶した料理番組を再生する第１の手順と、
前記第１の手順から材料注文データを受信すると、材料注文データを含む画面を表示し、材料特定データを詳述する材料詳細データを含む注文確認画面を前記ネットワークを介し前記第１の手順に送信し、前記第１の手順から注文確認画面の返送を受信すると、小売店システムに食材の注文のための食材注文データを前記ネットワークを介し送信する第２の手順と、
前記第２の手順から食材注文データを受信すると、食材注文データを含む画面を表示する第３の手順とをコンピュータに実行させることを特徴とする食材調達プログラム。
【請求項１２】
番組のＧコードを含む番組指定用ホームページをネットワークを介し送信する第１の手順と、
番組指定用ホームページ内のＧコードを記憶し、前記第１の手順から放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データを前記ネットワークを介し送信し、注文確認画面を返送し、記憶したＧコードに対応する料理番組を再生する第２の手順と、
前記第２の手順から材料注文データを受信すると、材料注文データを含む画面を表示し、材料特定データを詳述する材料詳細データを含む注文確認画面を前記ネットワークを介し前記第２の手順に送信し、前記第２の手順から注文確認画面の返送を受信すると、食材の注文のための食材注文データを前記ネットワークを介し送信する第３の手順と、
前記第３の手順から食材注文データを受信すると、食材注文データを含む画面を表示する第４の手順とをコンピュータに実行させることを特徴とする食材調達プログラム。
【発明の詳細な説明】
【０００１】
【発明の属する技術分野】
本発明は、食材調達システム、食材調達方法、および、食材調達プログラムに関し、特に、ネットワークを利用した自動的な食材調達システム、食材調達方法、および、食材調達プログラムに関する。
【０００２】
【従来の技術】
「特開２００１−３３１７４２号公報」記載の技術は、テレビ受像画面に現れたテレビ番組に付加された、提供可能な物品等の注文先情報を利用して、視聴者が購入を希望する物品等を通信販売し、デリバリーサービスによって提供するシステムであって、視聴者からの前記物品等の購入希望を示す注文情報を受け付ける受け付けサーバと、前記受け付けサーバに蓄積された注文情報を、その内容に対応するサービス提供端末に伝達する通知手段とを備え、前記サービス提供端末は、前記購入希望通知の内容を、物品等の提供業者に通知する手段を備え、前記物品等の提供業者は、前記購入希望通知の内容に含まれるデリバリー情報により、物品等を受取人のところへ配送する手段とを備えるものである。
【０００３】
また、「特開２００２−１５００５３号公報」記載の技術は、ネットワークを介してクライアント装置と接続される装置であって、料理のレシピを表示させてクライアント装置からの食材の注文を受け付ける注文受け付け手段と、注文受け付け手段により受け付けた食材をクライアントに発送する発送手段とを備えるものである。
【０００４】
【発明が解決しようとする課題】
上述した「特開２００１−３３１７４２号公報」記載の技術の問題点は、料理の食材の注文が複雑なことである。
【０００５】
その理由は、電話等により直接、食材を注文するか、または、インターネットで、食材を入力しなければならないからである。
【０００６】
上述した「特開２００２−１５００５３号公報」記載の技術の問題点は、料理の方法が具体的でないことである。
【０００７】
その理由は、テレビのような動画表示を利用していないからである。
【０００８】
本発明の目的は、番組を見ながら、指等で食材を指定し、自動的に注文できるシステムを実現することである。
【０００９】
【課題を解決するための手段】
本発明の第１の食材調達システムは、テレビ局システムから放送される料理番組を受信し表示するテレビを内蔵し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信するレシピ装置を有することを特徴とする。
【００１０】
本発明の第２の食材調達システムは、テレビ局システムから放送される料理番組を受信し表示するテレビを内蔵し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信するレシピ装置と、前記レシピ装置から材料注文データを受信すると、材料注文データを含む画面を表示し、材料特定データを詳述する材料詳細データを含む注文確認画面を前記ネットワークを介し前記レシピ装置に送信し、前記レシピ装置から注文確認画面の返送を受信すると、小売店システムに食材の注文のための食材注文データを前記ネットワークを介し送信する受け付けセンターシステムとを有することを特徴とする。
【００１１】
本発明の第３の食材調達システムは、テレビ局システムから放送される料理番組を受信し表示するテレビを内蔵し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信し、記憶した料理番組を再生するレシピ装置と、前記レシピ装置から材料注文データを受信すると、材料注文データを含む画面を表示し、材料特定データを詳述する材料詳細データを含む注文確認画面を前記ネットワークを介し前記レシピ装置に送信し、前記レシピ装置から注文確認画面の返送を受信すると、小売店システムに食材の注文のための食材注文データを前記ネットワークを介し送信する受け付けセンターシステムと、前記受け付けセンターシステムから食材注文データを受信すると、食材注文データを含む画面を表示する小売店システムとを有することを特徴とする。
【００１２】
本発明の第４の食材調達システムは、番組のＧコードを含む番組指定用ホームページをネットワークを介し送信するテレビ局システムと、番組指定用ホームページ内のＧコードを記憶し、前記テレビ局システムから放送される料理番組を受信し表示するテレビを内蔵し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データを前記ネットワークを介し送信し、注文確認画面を返送し、記憶したＧコードに対応する料理番組を再生するレシピ装置と、前記レシピ装置から材料注文データを受信すると、材料注文データを含む画面を表示し、材料特定データを詳述する材料詳細データを含む注文確認画面を前記ネットワークを介し前記レシピ装置に送信し、前記レシピ装置から注文確認画面の返送を受信すると、食材の注文のための食材注文データを前記ネットワークを介し送信する受け付けセンターシステムと、前記受け付けセンターシステムから食材注文データを受信すると、食材注文データを含む画面を表示する小売店システムとを有することを特徴とする。
【００１３】
本発明の第１の食材調達方法は、テレビ局システムから放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信する手順を含むことを特徴とする。
【００１４】
本発明の第２の食材調達方法は、テレビ局システムから放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信する第１の手順と、前記第１の手順から材料注文データを受信すると、材料注文データを含む画面を表示し、材料特定データを詳述する材料詳細データを含む注文確認画面を前記ネットワークを介し前記第１の手順に送信し、前記第１の手順から注文確認画面の返送を受信すると、小売店システムに食材の注文のための食材注文データを前記ネットワークを介し送信する第２の手順とを含むことを特徴とする。
【００１５】
本発明の第３の食材調達方法は、テレビ局システムから放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信し、記憶した料理番組を再生する第１の手順と、前記第１の手順から材料注文データを受信すると、材料注文データを含む画面を表示し、材料特定データを詳述する材料詳細データを含む注文確認画面を前記ネットワークを介し前記第１の手順に送信し、前記第１の手順から注文確認画面の返送を受信すると、小売店システムに食材の注文のための食材注文データを前記ネットワークを介し送信する第２の手順と、前記第２の手順から食材注文データを受信すると、食材注文データを含む画面を表示する第３の手順とを含むことを特徴とする。
【００１６】
本発明の第４の食材調達方法は、番組のＧコードを含む番組指定用ホームページをネットワークを介し送信する第１の手順と、番組指定用ホームページ内のＧコードを記憶し、前記第１の手順から放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データを前記ネットワークを介し送信し、注文確認画面を返送し、記憶したＧコードに対応する料理番組を再生する第２の手順と、前記第２の手順から材料注文データを受信すると、材料注文データを含む画面を表示し、材料特定データを詳述する材料詳細データを含む注文確認画面を前記ネットワークを介し前記第２の手順に送信し、前記第２の手順から注文確認画面の返送を受信すると、食材の注文のための食材注文データを前記ネットワークを介し送信する第３の手順と、前記第３の手順から食材注文データを受信すると、食材注文データを含む画面を表示する第４の手順とを含むことを特徴とする。
【００１７】
本発明の第１の食材調達プログラムは、テレビ局システムから放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信する手順をコンピュータに実行させることを特徴とする。
【００１８】
本発明の第２の食材調達プログラムは、テレビ局システムから放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信する第１の手順と、前記第１の手順から材料注文データを受信すると、材料注文データを含む画面を表示し、材料特定データを詳述する材料詳細データを含む注文確認画面を前記ネットワークを介し前記第１の手順に送信し、前記第１の手順から注文確認画面の返送を受信すると、小売店システムに食材の注文のための食材注文データを前記ネットワークを介し送信する第２の手順とをコンピュータに実行させることを特徴とする。
【００１９】
本発明の第３の食材調達プログラムは、テレビ局システムから放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データをネットワークを介し送信し、記憶した料理番組を再生する第１の手順と、前記第１の手順から材料注文データを受信すると、材料注文データを含む画面を表示し、材料特定データを詳述する材料詳細データを含む注文確認画面を前記ネットワークを介し前記第１の手順に送信し、前記第１の手順から注文確認画面の返送を受信すると、小売店システムに食材の注文のための食材注文データを前記ネットワークを介し送信する第２の手順と、前記第２の手順から食材注文データを受信すると、食材注文データを含む画面を表示する第３の手順とをコンピュータに実行させることを特徴とする。
【００２０】
本発明の第４の食材調達プログラムは、番組のＧコードを含む番組指定用ホームページをネットワークを介し送信する第１の手順と、番組指定用ホームページ内のＧコードを記憶し、前記第１の手順から放送される料理番組を受信し表示し、料理番組をデジタル型式で内部に記憶し、画面の食材の部分を押下されると、押下された部分の画像を抽出し、画像の部分に対応する材料を特定し材料特定データを生成し、ユーザの情報、抽出された画像、材料特定データを含む材料注文データを前記ネットワークを介し送信し、注文確認画面を返送し、記憶したＧコードに対応する料理番組を再生する第２の手順と、前記第２の手順から材料注文データを受信すると、材料注文データを含む画面を表示し、材料特定データを詳述する材料詳細データを含む注文確認画面を前記ネットワークを介し前記第２の手順に送信し、前記第２の手順から注文確認画面の返送を受信すると、食材の注文のための食材注文データを前記ネットワークを介し送信する第３の手順と、前記第３の手順から食材注文データを受信すると、食材注文データを含む画面を表示する第４の手順とをコンピュータに実行させることを特徴とする。
【００２１】
【発明の実施の形態】
次に、本発明の第１の実施の形態について図面を参照して詳細に説明する。
【００２２】
図１は、本発明の第１の実施の形態の構成を示すブロック図である。
【００２３】
図１を参照すると、本発明の第１の実施の形態は、１以上のレシピ装置１０と、１以上のコンピュータ等の小売店システム２０と、１以上のコンピュータ等の受け付けセンターシステム３０と、アナログ放送を放送するテレビ局システム７０と、レシピ装置１０、小売店システム２０、受け付けセンターシステム３０、および、テレビ局システム７０を接続するインターネット等のネットワーク５０とから構成される。
【００２４】
図２は、レシピ装置１０の構成を示すブロック図である。
【００２５】
図２を参照すると、レシピ装置１０は、キーボード、マウス、ＣＤ−ＲＯＭ読み取り装置、リモートコントロール器等の入力部１１９と、アナログ放送を受信し、表示するテレビ部１１１と、指等で押された圧力を感知し、押された部分の位置を検出する透明な圧力検知部１１２と、制御部１１３と、アナログ・デジタル変換部１１４と、メモリ等の記憶部１１５と、画像抽出部１１６と、材料特定部１１７と、ネットワーク５０との送受信を行う通信部１１８とから構成される。
【００２６】
また、制御部１１３、アナログ・デジタル変換部１１４、記憶部１１５、画像抽出部１１６を１台のコンピュータで構成することも可能である。また、レシピ装置１０は、ネットワーク５０を介し、受け付けセンターシステム３０、テレビ局システム７０と通信する機能を持つ。
【００２７】
テレビ局システム７０は、アナログ放送を電波で送出する機能を持ち、さらに、ネットワーク５０を介しレシピ装置１０と通信する機能を持つ。
【００２８】
小売店システム２０は、ネットワーク５０を介し、受け付けセンターシステム３０と通信する機能を持つ。小売店システム２０は、スーパーマーケット等の小売り店舗に設置されるシステムであり、小売り店舗の経営者は、レシピ装置１０を保有するユーザと予め取引契約をかわし、受け付けセンターシステム３０から小売店システム２０への注文を受け付け、ユーザ宅へ注文された材料等を配送する。
【００２９】
図３は、受け付けセンターシステム３０が保持するユーザ情報の内容を示す説明図である。
【００３０】
受け付けセンターシステム３０は、レシピ装置１０からの材料の注文を受け付け、小売店システム２０へ注文する機能を持つ。また、受け付けセンターシステム３０は、小売店システム２０を設置する小売店と、レシピ装置１０を利用するユーザとの契約の仲介を実施し、ユーザの氏名、ユーザコード、住所、電話番号、電子メールドレス、ネットワークアドレス等のユーザ情報を格納する。
【００３１】
図３を参照すると、受け付けセンターシステム３０が保持するユーザ情報は、たとえば、「ユーザ名：道場七三郎」については、「ユーザコード：ａｂｃｄ，電子メールアドレス：ｍｉｔｉｂａ＠ｘｘ．ｊｐ．ｙｙｙ．ｃｏｍ」であり、「ユーザ名：陳健二」については、「ユーザコード：ｅｆｇｈ，電子メールアドレス：ｃｈｉｎ＠ｚｚ．ｊｐ．ｙｙｙ．ｃｏｍ」である。
【００３２】
次に、本発明の第１の実施の形態の動作について図面を参照して詳細に説明する。
【００３３】
図４は、本発明の第１の実施の形態の動作を示すフローチャートである。
【００３４】
図４を参照すると、まず、ユーザが、レシピ装置１０の入力部１１９から、制御部１１３が動作させているブラウザ等を起動し、ネットワーク５０上に開設されている番組指定用ホームページの表示を指示すると（たとえば、ＵＲＬを指定する）、レシピ装置１０の制御部１１３がその指示を受け（図４ステップＳ１）、通信部１１８に通知する。通信部１１８は、番組指定用ホームページの表示要求をネットワーク５０を介し、テレビ局システム７０へ送信する（図４ステップＳ２）。
【００３５】
テレビ局システム７０は、レシピ装置１０からネットワーク５０を介し番組指定用ホームページの表示要求を受信すると（図４ステップＡ１）、ネットワーク５０を介しレシピ装置１０へ番組指定用ホームページを送信する（図４ステップＡ２）。
【００３６】
レシピ装置１０の通信部１１８は、ネットワーク５０を介しテレビ局システム７０から番組指定用ホームページを受信すると（図４ステップＳ３）、制御部１１３に番組指定用ホームページを転送する。制御部１１３は、番組指定用ホームページをテレビ部１１１のディスプレイ等に表示する（図４ステップＳ４）。
【００３７】
図５は、番組指定用ホームページの内容を示す説明図である。
【００３８】
図５を参照すると、番組指定用ホームページは、番組の一覧（番組名、放映時間、概要、Ｇコード）、選択ボタンを含んでいる。
【００３９】
ユーザが、入力部１１９から希望する番組を選択ボタンをクリックして選択すると、選択された番組を特定し、対応するＧコードを記憶部１１５に記憶する（図４ステップＳ５）。
【００４０】
次に、料理番組が放送される場合について説明する。
【００４１】
図６は、本発明の第１の実施の形態の動作を示すフローチャートである。
【００４２】
図７は、本発明の第１の実施の形態の動作を示すフローチャートである。
【００４３】
図６を参照すると、ユーザが、レシピ装置１０を起動し、テレビ局システム７０により放送される料理番組をテレビ部１１１で視聴することを入力部１１９で指定すると、テレビ部１１１は、電波を受信し（図６ステップＳ６）、放送されている料理番組をディスプレイに表示する（図６ステップＳ７）。また、ユーザが、テレビ部１１１で視聴することを入力部１１９で指定すると、同時に、制御部１１３が電波を受信し、番組のアナログ信号をアナログ・デジタル変換部１１４に送信する。
【００４４】
また、料理番組を視聴中のユーザにより、ディスプレイの全面に設置された圧力検知部１１２の表示されている材料に対応する部分が指で押下されると、圧力検知部１１２は、押下された部分の座標を示す座標データを制御部１１３に転送する（図６ステップＳ８）。
【００４５】
制御部１１３は、座標データを受け取ると、対応する番組のアナログ信号と、同期してアナログ・デジタル変換部１１４に転送する（図６ステップＳ９）。アナログ・デジタル変換部１１４は、座標データがなければ（図６ステップＳ１０／ＮＯ）、番組のアナログ信号をデジタル信号に変換し、画面の識別番号を付与して番組データとして記憶部１１５に格納する（図６ステップＳ１１）。アナログ・デジタル変換部１１４は、座標データがあれば（図６ステップＳ１０／ＹＥＳ）、番組のアナログ信号をデジタル信号に変換し、座標データ、画面の識別番号を付与して番組データとして記憶部１１５に格納する（図６ステップＳ１２）。このとき、番組のＧコードを番組データに付与して格納する。また、座標データのある番組のＧコード、画面の識別番号を記憶部１１５の材料注文候補一覧表に格納する。
【００４６】
また、ユーザが、入力部１１９から材料注文を指示すると、制御部１１３は、記憶部１１５の材料注文候補一覧表を調べ、座標データが存在する番組のＧコード、画面の識別番号を画像抽出部１１６に転送する（図７ステップＳ１３）。画像抽出部１１６は、記憶部１１５から座標データが存在する番組の画面の識別番号に対応する画面のデジタルデータ、および、座標データを読み出し、画面のデジタルデータに座標データを対応させ、パターン認識により、座標データの部分の画像の外形（輪郭）を特定し、外形の内部の画像である材料画像を抽出し（図７ステップＳ１４）、材料特定部１１７に転送する。
【００４７】
材料特定部１１７は、材料画像から、材料の形状、色彩等を検出し、材料を特定し、材料特定データ（複数可）として作成し（図７ステップＳ１５）、材料画像、材料特定データを制御部１１３に転送する。たとえば、丸くて、赤であれば、リンゴと特定する。
【００４８】
次に、制御部１１３は、材料画像、材料特定データ、対応するＧコード、ユーザの氏名、および、ユーザコードを含む材料注文データを通信部１１８に転送する（図７ステップＳ１６）。通信部１１８は、受け取った材料注文データをネットワーク５０を介し受け付けセンターシステム３０に送信する（図７ステップＳ１７）。
【００４９】
受け付けセンターシステム３０は、材料注文データを受信すると（図７ステップＢ１）、ディスプレイ等に材料画像、材料特定データ、対応するＧコード、ユーザの氏名、および、ユーザコードを含む材料注文画面を表示する（図７ステップＢ２）。
【００５０】
図８は、材料注文画面を示す説明図である。
【００５１】
図８を参照すると、材料特定データは、「サカナ」である。
【００５２】
受け付けセンターシステム３０の操作者が、受け付けセンターシステム３０のディスプレイ等の画面を閲覧し、材料特定データ「サカナ」の次の詳細指定ボックス（複数可）に材料詳細データ（複数可）として魚の種類「サバ」を入力し、送信ボタンを押下すると、受け付けセンターシステム３０は、ユーザコード、Ｇコード、材料詳細データ（複数可）を含む注文確認画面をネットワーク５０を介しレシピ装置１０に送信する（図７ステップＢ３）。
【００５３】
レシピ装置１０の通信部１１８は、ネットワーク５０を介し受け付けセンターシステム３０から注文確認画面を受信すると（図７ステップＳ１８）、制御部１１３は、テレビ部１１１に注文確認画面を表示する（図７ステップＳ１９）。
【００５４】
図９は、注文確認画面を示す説明図である。
【００５５】
図９を参照すると、材料一覧には、「サバ」が表示されている。ユーザが、注文確認画面を材料一覧の右の訂正欄に「スズキ」、量欄に、‘１’を入力し、「ＯＫ」ボタンを押下すると、レシピ装置１０の制御部１１３は、ユーザコード、Ｇコード、材料一覧、入力された訂正欄、入力された量欄を含む注文確認画面を受け付け（図７ステップＳ２０）、通信部１１３が、ネットワーク５０を介し受け付けセンターシステム３０に送信する（図７ステップＳ２１）。
【００５６】
受け付けセンターシステム３０は、ネットワーク５０を介しレシピ装置１０から材料注文画面を受信すると（図７ステップＢ４）、ユーザの氏名、住所、注文材料等を含む食材注文データをネットワーク５０を介し、小売店システム２０へ送信する（図７ステップＢ５）。
【００５７】
図１０は、食材注文データの内容を示す説明図である。
【００５８】
図１０を参照すると、たとえば、ユーザの氏名は、「道場七三郎」、住所は、「ＢＢＢＢＢ」、注文材料は、「スズキ：Ｋ匹、牛肉：Ｌグラム、大根：Ｎ本」である。
【００５９】
小売店システム２０は、ネットワーク５０を介し受け付けセンターシステム３０から食材注文データを受信する（図７ステップＣ１）と、ディスプレイ等に表示する（図７ステップＣ２）。小売店システム２０の使用者は、ディスプレイ等に表示された食材注文データに基づいて、食材を調達し、指定された住所に食材を配送する。
【００６０】
次に、ユーザが料理をする場合について説明する。
【００６１】
図１１は、本発明の第１の実施の形態の動作を示すフローチャートである。
【００６２】
図１１を参照すると、ユーザは、入力部１１９から、番組のＧコードを選択し、記憶部１１５内に記憶されている番組データの再生を指示すると、制御部１１３は、アナログ・デジタル変換部１１４に対し、Ｇコードに対応する番組データの読み出しを指示する（図１１ステップＳ２２）。アナログ・デジタル変換部１１４は、記憶部１１５の番組データを読み出し、デジタルからアナログに変換し（図１１ステップＳ２３）、制御部１１３に転送する。制御部１１３は、アナログの番組データをテレビ部１１１に送り、テレビ部１１１は、番組を再生表示する（図１１ステップＳ２４）。以上により、ユーザは、届けられた食材を使用し、番組を見ながら料理をすることができる。
【００６３】
以上は、食材について説明したが、その他の物を調達する場合に適用することが可能である。
【００６４】
次に、本発明の第２の実施の形態について図面を参照して詳細に説明する。
【００６５】
本発明の第２の実施の形態は、番組のＧコードを含む番組指定用ホームページをネットワーク５０を介し送信する第１の手順（図４ステップＡ１）と、
番組指定用ホームページ内のＧコードを記憶し（図４ステップＳ５）、前記第１の手順から放送される料理番組を受信し表示し、料理番組をデジタル型式で内部に記憶し（図６ステップＳ１２）、画面の食材の部分を押下されると、押下された部分の画像を抽出し（図７ステップＳ１４）、画像の部分に対応する材料を特定し材料特定データを生成し（図７ステップＳ１５）、ユーザの情報、抽出された画像、材料特定データを含む材料注文データをネットワーク５０を介し送信し（図７ステップＳ１７）、注文確認画面を返送し（図７ステップＳ２１）、記憶したＧコードに対応する料理番組を再生する（図１１ステップＳ２４）第２の手順と、
前記第２の手順から材料注文データを受信すると（図７ステップＢ１）、材料注文データを含む画面を表示し（図７ステップＢ２）、材料特定データを詳述する材料詳細データを含む注文確認画面をネットワーク５０を介し前記第２の手順に送信し（図７ステップＢ３）、前記第２の手順から注文確認画面の返送を受信すると（図７ステップＢ４）、食材の注文のための食材注文データをネットワーク５０を介し送信する（図７ステップＢ５）第３の手順と、
前記第３の手順から食材注文データを受信すると（図７ステップＣ１）、食材注文データを含む画面を表示する（図７ステップＣ２）第４の手順とを含む方法である。
【００６６】
次に、本発明の第３の実施の形態について図面を参照して詳細に説明する。
【００６７】
本発明の第３の実施の形態は、番組のＧコードを含む番組指定用ホームページをネットワーク５０を介し送信する第１の手順（図４ステップＡ１）と、
番組指定用ホームページ内のＧコードを記憶し（図４ステップＳ５）、前記第１の手順から放送される料理番組を受信し表示し、料理番組をデジタル型式で内部に記憶し（図６ステップＳ１２）、画面の食材の部分を押下されると、押下された部分の画像を抽出し（図７ステップＳ１４）、画像の部分に対応する材料を特定し材料特定データを生成し（図７ステップＳ１５）、ユーザの情報、抽出された画像、材料特定データを含む材料注文データをネットワーク５０を介し送信し（図７ステップＳ１７）、注文確認画面を返送し（図７ステップＳ２１）、記憶したＧコードに対応する料理番組を再生する（図１１ステップＳ２４）第２の手順と、
前記第２の手順から材料注文データを受信すると（図７ステップＢ１）、材料注文データを含む画面を表示し（図７ステップＢ２）、材料特定データを詳述する材料詳細データを含む注文確認画面をネットワーク５０を介し前記第２の手順に送信し（図７ステップＢ３）、前記第２の手順から注文確認画面の返送を受信すると（図７ステップＢ４）、食材の注文のための食材注文データをネットワーク５０を介し送信する（図７ステップＢ５）第３の手順と、
前記第３の手順から食材注文データを受信すると（図７ステップＣ１）、食材注文データを含む画面を表示する（図７ステップＣ２）第４の手順とをコンピュータに実行させるプログラムである。
【００６８】
【発明の効果】
本発明の第１の効果は、料理の食材を容易に注文できることである。
【００６９】
その理由は、番組を見ながら、指等で食材を指定し、自動的に注文できるからである。
【００７０】
第２の効果は、料理の食材の量を正確に指定できることである。
【００７１】
その理由は、画面に対して量を入力できるからである。
【００７２】
第３の効果は、時間が節約できることである。
【００７３】
その理由は、注文した食材が配達されるからである。
【図面の簡単な説明】
【図１】本発明の第１の実施の形態の構成を示すブロック図である。
【図２】レシピ装置の構成を示すブロック図である。
【図３】受け付けセンターシステムが保持するユーザ情報の内容を示す説明図である。
【図４】本発明の第１の実施の形態の動作を示すフローチャートである。
【図５】番組指定用ホームページの内容を示す説明図である。
【図６】本発明の第１の実施の形態の動作を示すフローチャートである。
【図７】本発明の第１の実施の形態の動作を示すフローチャートである。
【図８】材料注文画面を示す説明図である。
【図９】注文確認画面を示す説明図である。
【図１０】食材注文データの内容を示す説明図である。
【図１１】本発明の第１の実施の形態の動作を示すフローチャートである。
【符号の説明】
１０　　レシピ装置
２０　　小売店システム
３０　　受け付けセンターシステム
５０　　ネットワーク
７０　　テレビ局システム
１１１　　テレビ部
１１２　　圧力検知部
１１３　　制御部
１１４　　アナログ・デジタル変換部
１１５　　記憶部
１１６　　画像抽出部
１１７　　材料特定部
１１８　　通信部
１１９　　入力部
【図１】
2004054528.tif 000003
【図２】
2004054528.tif 000004
【図３】
2004054528.tif 000005
【図４】
2004054528.tif 000006
【図５】
2004054528.tif 000007
【図６】
2004054528.tif 000008
【図７】
2004054528.tif 000009
【図８】
2004054528.tif 000010
【図９】
2004054528.tif 000011
【図１０】
2004054528.tif 000012
【図１１】
2004054528.tif 000013